(57)【要約】【課題】、洋式便器脚部の周囲の床面を覆い、該床面に汚れが着き難くいトイレマットの作製方法を提供する。【解決手段】本発明に係るトイレマットの作製方法は、型紙１に表示された複数の種類のパターンの内、洋式便器ｂの脚部ｂ１と床面ｆとの接続部の外周形状Ｓに対応して選定したパターンｐに沿って、該選定したパターンｐの内方に位置する第1の型紙１１を切り抜き、選定したパターンｐの外側に位置する型紙１は、第２の型紙１２であり、この第２の型紙１２をマット部材２の所定位置に重ね合わせ、第２の型紙１２の切り抜いた内周に沿ってマット部材２上にマークｍを描き、第２の型紙１２を取り除いた後、マット部材２上のマークｍに沿ってマット部材２を裁断し、脚部ｂ１が嵌合する開口部２ａを形成してトイレマットを作製するものである。【選択図】図３
2009207787.tif 000002
【特許請求の範囲】
【請求項１】
洋式便器周囲の床面に敷設するトイレマットの作製方法であって、
型紙に表示された複数の種類のパターンの内、前記洋式便器の脚部と前記床面との接続部の外周形状に対応して選定したパターンに沿って、該選定したパターンの内方に位置する第1の型紙を切り抜き、
前記選定したパターンの外側に位置する型紙は、第２の型紙であり、
この第２の型紙をマット部材の所定位置に重ね合わせ、
前記第２の型紙の切り抜いた内周に沿って前記マット部材上にマークを描き、
前記第２の型紙を取り除いた後、前記マット部材上の前記マークに沿って前記マット部材を裁断し、前記脚部が嵌合する開口部を形成してトイレマットを作製することを特徴とするトイレマットの作製方法。
【請求項２】
洋式便器周囲の床面に敷設するトイレマットの作製方法であって、
型紙に表示された複数の種類のパターンの内、前記洋式便器の脚部と前記床面との接続部の外周形状に対応して選定したパターンに沿って、該選定したパターンの内方に位置する第1の型紙を切り抜き、
この第１の型紙をマット部材の所定位置に重ね合わせ、
前記第１の型紙の外周に沿って前記マット部材上にマークを描き、
前記第１の型紙を取り除いた後、前記マット部材上の前記マークに沿って前記マット部材を裁断し、前記脚部が嵌合する開口部を形成してトイレマットを作製することを特徴とするトイレマットの作製方法。
【請求項３】
洋式便器周囲の床面に敷設するトイレマットの作製方法であって、
マット部材上に、複数の種類のパターンが表示された型紙を重ね合わせ、
これらパターンの内、前記洋式便器の脚部と前記床面との接続部の外周形状に対応して選定したパターンの表示に沿って前記型紙と共に前記マット部材を裁断して前記脚部が嵌合する開口部を形成した後、
前記型紙を取り除いてトイレマットを作製することを特徴とするトイレマットの作製方法。
【請求項４】
マット部材上に型紙を重ね合わせる際、前記マット部材と前記型紙とを固定手段により着脱可能に固定することを特徴とする請求項１〜３のいずれか１項に記載のトイレマットの作製方法。
【請求項５】
マット部材は、不織布で形成されていることを特徴とする請求項１〜４のいずれか１項に記載のトイレマットの作製方法。
【請求項６】
複数の種類のパターンは、型紙の片面または両面に分けて表示されていることを特徴とする請求項１〜５のいずれか１項に記載のトイレマットの作製方法。
【発明の詳細な説明】
【技術分野】
【０００１】
本発明は、洋式便器周囲の床面に敷設するトイレマットの作製方法に係り、特に、洋式便器の脚部と床面との接続部の外周形状に対応して選定した型紙のパターンの表示を利用し、マット部材を裁断して作製するトイレマットの作製方法に関する。
【背景技術】
【０００２】
従来、床面が汚れたりするのを防止するために洋式便器周囲の床面に敷設するトイレマットにあっては、型式により種々存在する洋式便器の脚部と床面との接続部の外周形状に対応すべく、例えば、トイレマットに一定形状のＵ字状の開口部を設け、その開口部に洋式便器の脚部を嵌め込み、該開口部に沿って脚部の下部周面を覆う被覆体を設けたトイレマットが提案されている（例えば、特許文献１の図３参照）。
【特許文献１】特開２００４−１６３０１号公報
【発明の開示】
【発明が解決しようとする課題】
【０００３】
しかしながら、上述したようなトイレマットにあっては、洋式便器脚部に嵌め込む開口部がＵ字状であるため、トイレマットで覆われていない洋式便器脚部背面側の床面に汚れを生じ易く、加えて、Ｕ字形状の開口部の大きさが一定であるため、脚部の外形が小さい場合にあっては、被覆体で脚部を覆いきれず、隙間から汚物が進入してしまうという問題点があった。
【０００４】
本発明は、上述した問題点を解決するためになされたものである。
【課題を解決するための手段】
【０００５】
請求項１に係る発明は、洋式便器周囲の床面に敷設するトイレマットの作製方法であって、型紙に表示された複数の種類のパターンの内、前記洋式便器の脚部と前記床面との接続部の外周形状に対応して選定したパターンに沿って、該選定したパターンの内方に位置する第1の型紙を切り抜き、前記選定したパターンの外側に位置する型紙は、第２の型紙であり、この第２の型紙をマット部材の所定位置に重ね合わせ、前記第２の型紙の切り抜いた内周に沿って前記マット部材上にマークを描き、前記第２の型紙を取り除いた後、前記マット部材上の前記マークに沿って前記マット部材を裁断し、前記脚部が嵌合する開口部を形成してトイレマットを作製するトイレマットの作製方法である。
【０００６】
請求項２に係る発明は、洋式便器周囲の床面に敷設するトイレマットの作製方法であって、型紙に表示された複数の種類のパターンの内、前記洋式便器の脚部と前記床面との接続部の外周形状に対応して選定したパターンに沿って、該選定したパターンの内方に位置する第1の型紙を切り抜き、この第１の型紙をマット部材の所定位置に重ね合わせ、前記第１の型紙の外周に沿って前記マット部材上にマークを描き、前記第１の型紙を取り除いた後、前記マット部材上の前記マークに沿って前記マット部材を裁断し、前記脚部が嵌合する開口部を形成してトイレマットを作製するトイレマットの作製方法である。
【０００７】
請求項３に係る発明は、洋式便器周囲の床面に敷設するトイレマットの作製方法であって、マット部材上に、複数の種類のパターンが表示された型紙を重ね合わせ、これらパターンの内、前記洋式便器の脚部と前記床面との接続部の外周形状に対応して選定したパターンの表示に沿って前記型紙と共に前記マット部材を裁断して前記脚部が嵌合する開口部を形成した後、前記型紙を取り除いてトイレマットを作製するトイレマットの作製方法である。
【０００８】
請求項４に係る発明は、請求項１〜３に記載のトイレマットの作製方法において、マット部材上に型紙を重ね合わせる際、前記マット部材と前記型紙とを固定手段により着脱可能に固定するものである。
【０００９】
請求項５に係る発明は、請求項１〜４に記載のトイレマットの作製方法において、マット部材は、不織布で形成されているものである。
【００１０】
請求項６に係る発明は、請求項１〜５に記載のトイレマットの作製方法において、複数の種類のパターンは、型紙の片面または両面に分けて表示されているものである。
【発明の効果】
【００１１】
請求項１に記載のトイレマットの作製方法によれば、型紙に表示された複数の種類のパターンの内、洋式便器の脚部と床面との接続部の外周形状に対応して選定したパターンに沿って、該選定したパターンの内方に位置する第1の型紙を切り抜き、前記選定したパターンの外側に位置する型紙は、第２の型紙であり、この第２の型紙をマット部材の所定位置に重ね合わせ、前記第２の型紙の切り抜いた内周に沿って前記マット部材上にマークを描き、前記第２の型紙を取り除いた後、前記マット部材上の前記マークに沿って前記マット部材を裁断し、前記脚部が嵌合する開口部を形成してトイレマットを作製するため、洋式便器の脚部と床面との接続部の外周形状に合致する開口部が形成されたトイレマットを作製することができ、洋式便器の脚部と床面との間に隙間ができるのを防止し、汚物が進入して床面が汚れるのを防ぐことができる。
【００１２】
請求項２に記載のトイレマットの作製方法によれば、型紙に表示された複数の種類のパターンの内、洋式便器の脚部と床面との接続部の外周形状に対応して選定したパターンに沿って、該選定したパターンの内方に位置する第1の型紙を切り抜き、この第１の型紙をマット部材の所定位置に重ね合わせ、前記第１の型紙の外周に沿って前記マット部材上にマークを描き、前記第１の型紙を取り除いた後、前記マット部材上の前記マークに沿って前記マット部材を裁断し、前記脚部が嵌合する開口部を形成してトイレマットを作製するため、洋式便器の脚部と床面との接続部の外周形状に合致する開口部が形成されたトイレマットを作製することができ、洋式便器の脚部と床面との間に隙間ができるのを防止し、汚物が進入して床面が汚れるのを防ぐことができる。
【００１３】
請求項３に記載のトイレマットの作製方法によれば、マット部材上に、複数の種類のパターンが表示された型紙を重ね合わせ、これらパターンの内、洋式便器の脚部と床面との接続部の外周形状に対応して選定したパターンの表示に沿って前記型紙と共に前記マット部材を裁断して前記脚部が嵌合する開口部を形成した後、前記型紙を取り除いてトイレマットを作製するため、洋式便器の脚部と床面との接続部の外周形状に合致する開口部が形成されたトイレマットを作製することができ、洋式便器の脚部と床面との間に隙間ができるのを防止し、汚物が進入して床面が汚れるのを防ぐことができる。
【００１４】
請求項４に記載の発明によれば、請求項１〜３に記載のトイレマットの作製方法の効果に加え、マット部材上に型紙を重ね合わせる際、前記マット部材と前記型紙とを固定手段により着脱可能に固定するため、裁断の際に、マット部材と型紙とがずれてマット部材が意図した形状と異なった形状に裁断されるのを防止することができる。
【００１５】
請求項５に記載の発明によれば、請求項１〜４に記載のトイレマットの作製方法の効果に加え、マット部材は、不織布で形成されているため、任意の方向に裁断して繊維がもほつれるのを抑制することができ、意図した形状と異なった形状に裁断されるのを防止することができる。
【００１６】
請求項６に記載の発明によれば、請求項１〜５に記載のトイレマットの作製方法の効果に加え、複数の種類のパターンは、型紙の片面または両面に分けて表示されているため、多くのパターンを型紙の表裏に表示することができ、より一層多くの種類の洋式便器に対応したトイレマットを作製することができる。
【発明を実施するための最良の形態】
【００１７】
本発明のトイレマットの作製方法の第1の実施例を、図１〜図５を参照して説明する。
【００１８】
図１〜図５において、１は型紙を、２はマット部材を示しており、型紙１は、図１に示したように、各種洋式便器ｂの脚部ｂ１と床面ｆとの接続部の外周形状Ｓ（図９参照）に対応した複数の種類のパターンｐ、ｐ、・・・があらかじめ表示されている。また、マット部材２は、容易に裁断できる限り、種々の材料を用いることができるが、特に、不織布で形成されているのが好ましい。不織布を用いることにより、後述する裁断において、任意の方向に裁断しても繊維がほつれるのを抑制することができるためである。また、このマット部材２は、単一の層からなるものに限らず、複数の層を積層して形成したものであってもよく、例えば、図９に示したように、床面ｆに接する基材２１（例えば、床面ｆに吸着する吸着層を設けたものなど）と、この基材２１上に設けられたマット本体２２とを有するものであっても構わない。なお、以下に示す図３〜図１０については、前述の基材２１とマット本体２２とを有するマット部材２を例示している。
【００１９】
まず、型紙１に表示された複数の種類のパターンｐの内、使用する洋式便器ｂの脚部ｂ１と床面ｆとの接続部の外周形状Ｓに対応したパターンｐを選定し、図２に示したように、この選定したパターンｐに沿って、該選定したパターンｐの内方に位置する第1の型紙１１を、例えばハサミやカッターその他の切断器具により切り抜いて開口部１２ａを形成する。なお、型紙１のパターンｐ、ｐ、・・のそれぞれにミシン目が設けられている場合にあっては、このミシン目に沿って切り取ってもよい。ここで、選定するパターンｐは、必ずしも外周形状Ｓと同じ形状のパターンｐである必要はなく、後述する開口部２ａの内周端２ｃを上方に立ち上がらせたり（図１０参照）、あらかじめ外周形状Ｓよりも小さな開口部２ａを設けた後、使用する洋式便器ｂの脚部ｂ１の外周形状Ｓに合わせながら徐々に切り抜くため、外周形状Ｓよりも小さい形状のパターンｐを選定してもよい。
【００２０】
そして、選定したパターンｐの外側に位置する第２の型紙１２を、図３に示したように、トイレマットの材料となるマット部材２上の所定位置に重ね合わせ、第２の型紙１２の切り抜いた内周に沿って、例えば油性のマジックなどの筆記具Ｗによりマット部材２上にマークｍを描く。
【００２１】
ここで、マークｍを描くマット部材２上の部位は、図３に示したように、床面ｆに当接する側（裏面側）の部位であるのが好ましい。マークｍの跡が床面ｆ側に隠れ、体裁が損なわれないためである。また、かかる場合にあっては、第２の型紙１２も裏返しにして重ね合わせるのが好ましい（図３の第２の型紙１２参照）。開口部１２ａの形状が左右対称ではないこともあるからである。なお、マット部材２のマークｍを描く側の面に剥離可能なフィルム部材（図示せず）をあらかじめ貼り付けておき、このフィルム部材上にマークｍを描くようにしてもよい。
【００２２】
そして、第２の型紙１２を取り除いた後、図５に示したように、例えばハサミやカッターその他の切断器具によりマット部材２に切り込み２ｂをいれ、マット部材２上に描かれたマークｍに沿ってマット部材２を裁断し、洋式便器ｂの脚部ｂ１が嵌合する開口部２ａを形成してトイレマットＡを作製する。
【００２３】
ところで、上述した第１の実施例では、選定したパターンｐの外側に位置する第２の型紙１２を用いてマークｍを描いたが、この第２の型紙１２に代え、選定したパターンｐの内方に位置して切り抜かれた第1の型紙１１を用い、図４に示したように、第１の型紙１１をマット部材２の所定位置に重ね合わせ、第１の型紙１１の外周に沿ってマット部材２上にマークｍを描いてもよい。
【００２４】
次に、第２の実施例を、図６〜図８を参照して説明する。なお、同一部分については同一の符号を付して示し、その詳細な説明は省略する。この例にあっては、第1の実施例のようにマークｍを描かずに型紙１と共にマット部材２を切り抜くもので、まず、第１の実施例と同様な型紙１（図１参照）をマット部材２上に重ね合わせる。このとき、図６に示したように、パターンｐが描かれた面を上にし、マット部材２の床面ｆに当接する側と反対の側（表面側、図６ではマット部材２のマット本体２２側）の部位に重ね合わせればよい。そして、型紙１に表示された複数のパターンの内、洋式便器ｂの脚部ｂ１と床面ｆとの接続部の外周形状Ｓに対応したパターンｐを選定し、選定されたパターンｐの表示に沿って型紙１と共にマット部材２を裁断して脚部ｂ１が嵌合する開口部２ａを形成した後（図７参照）、型紙１を取り除いてトイレマットＡを作製する（図８参照）。
【００２５】
ところで、マット部材２上に型紙１を重ね合わせる際、マット部材２と型紙１とを、例えば両面テープなどの固定手段により着脱可能に固定してもよい。
【００２６】
更に、前述の複数の種類のパターンｐ、ｐ、・・・は、型紙１の片面のみに表示されているものに限らず、両面に分けて型紙１の表裏に表示するようにしても構わない。
【００２７】
以上のように作製したトイレマットＡは、図９に示したように、その開口部２ａを洋式便器ｂの脚部ｂ１に嵌め込んで床面ｆに敷設することができる。また、脚部ｂ１と床面ｆとの接続部の外周形状Ｓよりも小さい形状のパターンを選定して開口部２ａを形成した場合にあっては、例えば、図１０に示したように、開口部２ａの内周端２ｃを脚部ｂ１に沿って上方に立ち上がらせて敷設してもよい。
【図面の簡単な説明】
【００２８】
【図１】本発明のトイレマットの作製方法に用いる型紙を示した概略図である。
【図２】本発明の第１の実施例において、図１の型紙を切り抜いた状態を示した概略的斜視図である。
【図３】図２の第２の型紙をマット部材に重ね合わせた状態を示した概略的斜視図である。
【図４】図２の第１の型紙をマット部材に重ね合わせた状態を示した概略的斜視図である。
【図５】図３、図４のマット部材を裁断して作製したトイレマットを示した概略的斜視図である。
【図６】本発明の第２の実施例において、マット部材上に型紙を重ね合わせる状態を示した概略的斜視図である。
【図７】図６の裁断を行っている状態を示した概略的斜視図である。
【図８】図７のマット部材を裁断して作製したトイレマットを示した概略的斜視図である。
【図９】図５、図８のトイレマットを洋式便器周囲の床面に敷設した状態を示した概略的斜視図である。
【図１０】図９の変形例を示した概略的斜視図である。
【符号の説明】
【００２９】
Ａ        トイレマット
ｐ        パターン
ｍ        マーク
１        型紙
１１      第１の型紙
１２      第２の型紙
２        マット部材
２ａ      開口部
【図１】
2009207787.tif 000003
【図２】
2009207787.tif 000004
【図３】
2009207787.tif 000005
【図４】
2009207787.tif 000006
【図５】
2009207787.tif 000007
【図６】
2009207787.tif 000008
【図７】
2009207787.tif 000009
【図８】
2009207787.tif 000010
【図９】
2009207787.tif 000011
【図１０】
2009207787.tif 000012